(57)【要約】  流体制御装置（１００）は、容器（９）と受動バルブ（１０１）とを備える。真空源（１０）は、吸引孔（１４）を有する。容器（９）は、第１接続孔（９１）と第２接続孔（９２）と第３接続孔（９３）と貯蔵室（１９５）と水封室（１９６）とを有する。受動バルブ（１０１）は、第１弁筺体（１９１）と第２弁筺体（１９２）とダイヤフラム（１２０）とを有する。第１弁筺体（１９１）と第２弁筺体（１９２）とには、第１通気孔（１１１）と第２通気孔（１１２）と第３通気孔（１１３）とが設けられている。受動バルブ（１０１）の第１通気孔（１１１）は容器（９）の第２接続孔（９２）に連通する。受動バルブ（１０１）の第２通気孔（１１２）は真空源（１０）の吸引孔（１４）に連通する。第３通気孔（１１３）は大気開放されている。ダイヤフラム（１２０）は、第１弁筺体（１９１）及び第２弁筺体（１９２）に挟持され、第１領域と第２領域を構成する。
2016190289.tif 000002
【特許請求の範囲】
【請求項１】
被検体内に連通する第１接続孔と、前記第１接続孔から流入した流体のうち液体を貯蔵する貯蔵室と、前記貯蔵室に連通する第２接続孔と、真空源に設けられた吸引孔に連通し、前記流体のうち気体が流出する第３接続孔と、を有する容器と、
前記貯蔵室と前記吸引孔との間に設けられ、前記貯蔵室の気圧と前記吸引孔の気圧とに差を生じさせる圧力抵抗部と、
第１通気孔、第２通気孔、及び第３通気孔が設けられた弁筐体と、前記第１通気孔に連通する第１領域と前記第２通気孔に連通する第２領域とを前記弁筐体内に構成するダイヤフラムと、を有する受動バルブと、を備え、
前記第１通気孔は前記第２接続孔に連通し、前記第２通気孔は前記吸引孔に連通し、前記第３通気孔は前記弁筐体の外部に連通している、流体制御装置。
【請求項２】
前記ダイヤフラムは、
前記第１領域の圧力が前記第２領域の圧力以上である場合、前記第１通気孔と前記第２通気孔との連通を遮断するとともに、前記第２通気孔と前記第３通気孔との連通を遮断し、
前記第１領域の圧力が前記第２領域の圧力より低い場合、前記第１通気孔と前記第２通気孔とを連通させるとともに、前記第２通気孔と前記第３通気孔とを連通させるよう、前記弁筐体に固定されている、請求項１に記載の流体制御装置。
【請求項３】
前記圧力抵抗部は、前記容器の内部における前記貯蔵室と前記第３接続孔との間に設けられた水封室である、請求項１又は２に記載の流体制御装置。
【請求項４】
前記圧力抵抗部は、前記第３接続孔と前記吸引孔との間に設けられた弁である、請求項１又は２に記載の流体制御装置。
【請求項５】
前記弁筐体には、前記第２領域と前記弁筐体の外部とを連通させる第４通気孔が設けられている、請求項１から請求項４のいずれか１項に記載の流体制御装置。
【請求項６】
前記圧力抵抗部と前記吸引孔とを接続する通気路を備え、
前記第４通気孔の断面積は、前記通気路の断面積より小さい、請求項５に記載の流体制御装置。
【請求項７】
前記第１通気孔と前記第２接続孔との間にフィルタを備える、請求項１から請求項４のいずれか１項に記載の流体制御装置。
【発明の詳細な説明】
【技術分野】
【０００１】
この発明は、流体の流れを制御する流体制御装置に関する。
【背景技術】
【０００２】
従来、被検体の患部に陰圧をかけることにより被検体の患部を治療する治療法が存在する。この治療法では、吸引ポンプなどの吸引ポンプと被検体の患部とに接続する流体制御装置が用いられる。例えば特許文献１には、医療用吸引装置が開示されている。この医療用吸引装置は、体液吸引管と吸気管と容器とセンサと給気管と電磁弁と制御装置とを備える。【０００３】
容器は、体液吸引管を介して患者の患部に接続する。また、容器は、吸気管を介して吸引ポンプに接続する。容器は、吸引ポンプの吸引圧力によって患者の体内から流出した流体のうち液体（血液、胸水など）を貯蔵する。吸引ポンプは、流体のうち気体を吸気管を介して吸引する。【０００４】
センサは、容器内の圧力を検知する。給気管は、容器内と外気とを連通する。電磁弁は、給気管に設けられ、給気管を開閉する。制御装置は、センサで検知した容器内の圧力に基づいて電磁弁の開閉を制御する。【０００５】
以上の構成において、患者が咳やくしゃみをした場合、容器内に過剰な陰圧が生じることがある。医療用吸引装置では、センサが過剰な陰圧を検知した場合、制御装置が電磁弁を開く。これにより、容器内と外気とが連通し、外気が容器内に流入する。この結果、医療用吸引装置は、容器内に生じた過剰な陰圧を解除できる。
【先行技術文献】
【特許文献】
【０００６】
【特許文献１】特開２００２−６５８４３号公報
【発明の概要】
【発明が解決しようとする課題】
【０００７】
しかしながら、特許文献１の医療用吸引装置は、過剰な陰圧を検知するためのセンサと、容器内に外気を取り入れるための電磁弁と、電磁弁の開閉を制御するための制御装置と、を備える必要がある。よって、特許文献１の医療用吸引装置には、構造が複雑で、製造コストが高くなるという問題がある。【０００８】
本発明の目的は、構造が単純で、製造コストの低い流体制御装置を提供することにある。
【課題を解決するための手段】
【０００９】
本発明の流体制御装置は、前記課題を解決するために以下の構成を備えている。【００１０】
本発明の流体制御装置は、容器と、圧力抵抗部と、受動バルブと、を備える。容器は、被検体内に連通する第１接続孔と、第１接続孔から流入した流体のうち液体を貯蔵する貯蔵室と、貯蔵室に連通する第２接続孔と、真空源に設けられた吸引孔に連通し、流体のうち気体が流出する第３接続孔と、を有する。圧力抵抗部は、貯蔵室と吸引孔との間に設けられ、貯蔵室の気圧と吸引孔の気圧とに差を生じさせる。【００１１】
受動バルブは、第１通気孔、第２通気孔、及び第３通気孔が設けられた弁筐体と、第１通気孔に連通する第１領域と第２通気孔に連通する第２領域とを弁筐体内に構成するダイヤフラムと、を有する。第１通気孔は第２接続孔に連通し、第２通気孔は吸引孔に連通し、第３通気孔は弁筐体の外部に連通している。【００１２】
この構成において流体制御装置は例えばドレナージとして用いられる。被検体は例えばヒトや動物である。この構成のダイヤフラムは、第１領域の圧力と第２領域の圧力とに基づいて、第１通気孔および第２通気孔の連通状態を受動的に切り替える。また、この構成のダイヤフラムは、第２通気孔および第３通気孔の連通状態、および第１通気孔および第３通気孔の連通状態を受動的に切り替える。【００１３】
この構成において真空源がオンすると、真空源は、所定の吸引圧力で気体を吸引孔から吸引する。これにより、被検体の体内の流体が、第１接続孔から容器内へ吸入される。容器内において、第１接続孔から流入した流体のうち被検体の液体（例えば胸水や血液など）は、貯蔵室で貯蔵される。第１接続孔から流入した流体のうち気体は、圧力抵抗部及び第３接続孔を通過して、吸引孔から真空源内に吸引される。【００１４】
この際、圧力抵抗部は、貯蔵室の気圧と吸引孔の気圧とに差を生じさせる。そのため、受動バルブでは、貯蔵室に連通する第１領域の圧力が、吸引孔に連通する第２領域の圧力以上になる。【００１５】
ここで、真空源がオンしている間、被検体が咳やくしゃみをした場合、吸引圧力以上の過剰な陰圧が容器の貯蔵室内に生じることがある。この場合、受動バルブでは、貯蔵室に連通する第１領域の圧力が、吸引孔に連通する第２領域の圧力より低くなる。【００１６】
よって、ダイヤフラムは例えば、第１領域の圧力が第２領域の圧力以上である場合と第１領域の圧力が第２領域の圧力より低い場合とを利用して、第１通気孔、第２通気孔、及び第３通気孔の連通状態を受動的に切り替えることができる。例えばダイヤフラムが第１通気孔と第２通気孔と第３通気孔とを連通させた場合、空気が第３通気孔から流入し、受動バルブ内を経由して第１通気孔から容器内の貯蔵室へ急速に流入する。【００１７】
そのため、この構成の流体制御装置は、過剰な陰圧を検知するためのセンサと、容器内に外気を取り入れるための電磁弁と、電磁弁の開閉を制御するための制御装置と、を備えなくても、過剰な陰圧を解除できる。【００１８】
したがって、この構成の流体制御装置は、構造が単純なため、製造コストを低減できる。【００１９】
また、本発明においてダイヤフラムは、
第１領域の圧力が第２領域の圧力以上である場合、第１通気孔と第２通気孔との連通を遮断するとともに、第２通気孔と第３通気孔との連通を遮断し、
第１領域の圧力が第２領域の圧力より低い場合、第１通気孔と第２通気孔とを連通させるとともに、第２通気孔と第３通気孔とを連通させるよう、弁筐体に固定されている、ことが好ましい。【００２０】
この構成の受動バルブは、第１領域の圧力と第２領域の圧力とに基づいて、受動的に弁を開閉する。【００２１】
また、本発明において圧力抵抗部は、容器の内部における貯蔵室と第３接続孔との間に設けられた水封室であることが好ましい。【００２２】
この構成において水封室には水が入れられている。水封室は、水によって、第１接続孔から流入した流体のうち気体を通過させて液体の通過を阻止する。水封室は、水面の高さによって圧力差を生じさせることができる。【００２３】
また、本発明において圧力抵抗部は、第３接続孔と吸引孔との間に設けられた弁であることが好ましい。【００２４】
この構成の流体制御装置は、水封室でなく弁によって圧力差を生じさせる。そのため、この構成の流体制御装置は、水封室を備えない容器においても適用できる。【００２５】
また、本発明において弁筐体には、第２領域と弁筐体の外部とを連通させる第４通気孔が設けられていることが好ましい。【００２６】
この構成では、真空源のオンとオフを繰り返す間欠動作が患者のために行われる場合において、真空源がオフされた直後、少量の空気が受動バルブの外部から第４通気孔を介して受動バルブの内部へ吸引される。そのため、受動バルブでは、ダイヤフラムが第３通気孔を開放する速度が速くなる。したがって、流体制御装置は、真空源がオフされた直後、過剰な陰圧を速やかに解除できる。【００２７】
また、本発明の流体制御装置は、圧力抵抗部と吸引孔とを接続する通気路を備え、
第４通気孔の断面積は、通気路の断面積より小さいことが好ましい。【００２８】
この構成では、真空源がオンしている間、少量の空気が受動バルブの外部から第４通気孔を介して受動バルブの内部へ吸引されるが、通気路の断面積が小さいため、真空源の吸引圧力は殆ど低下しない。【００２９】
また、本発明の流体制御装置は、第１通気孔と第２接続孔との間にフィルタを備えることが好ましい。【００３０】
この構成では、空気が第３通気孔から流入し、受動バルブ内を経由して第１通気孔からフィルタを介して容器内の貯蔵室へ急速に流入する。この際、空気がフィルタを通過するため、フィルタは、空気中に含まれる塵や埃などを吸着できる。そのため、この構成の流体制御装置は、空気中に含まれる塵や埃などが被検体の体内に流入することを防止できる。
【発明の効果】
【００３１】
本発明によれば、構造が単純で、製造コストの低い流体制御装置を提供できる。
【図面の簡単な説明】
【００３２】
【図１】本発明の第１実施形態に係る流体制御装置１００の要部の説明図である。
【図２】図１に示す受動バルブ１０１の断面図である。
【図３】図１に示す受動バルブ１０１の分解斜視図である。
【図４】図１に示す受動バルブ１０１の分解斜視図である。
【図５】真空源１０がオンしている間における流体制御装置１００の流体の流れを示す説明図である。
【図６】容器９内に過剰な陰圧が生じた瞬間における流体制御装置１００の流体の流れを示す説明図である。
【図７】容器９内に過剰な陰圧が生じた直後における、流体制御装置１００の流体の流れを示す説明図である。
【図８】図７に示す受動バルブ１０１の断面図である。
【図９】本発明の第２実施形態に係る流体制御装置２００の要部の説明図である。
【図１０】図９に示す受動バルブ２０１の断面図である。
【図１１】真空源１０がオンしている間における流体制御装置２００の流体の流れを示す説明図である。
【図１２】容器９内に過剰な陰圧が生じた直後における、流体制御装置２００の流体の流れを示す説明図である。
【図１３】本発明の第３実施形態に係る流体制御装置３００の要部の説明図である。
【図１４】図１３に示す受動バルブ３０１の断面図である。
【図１５】図１３に示す受動バルブ１０１の分解斜視図である。
【図１６】図１３に示す受動バルブ１０１の分解斜視図である。
【図１７】真空源１０がオンしている間における流体制御装置３００の流体の流れを示す説明図である。
【図１８】容器９内に過剰な陰圧が生じた直後における、流体制御装置３００の流体の流れを示す説明図である。
【図１９】本発明の第４実施形態に係る流体制御装置４００の要部の説明図である。
【図２０】図１９に示す受動バルブ４０１の断面図である。
【図２１】真空源１０がオンしている間における流体制御装置４００の流体の流れを示す説明図である。
【図２２】容器９内に過剰な陰圧が生じた直後における、流体制御装置４００の流体の流れを示す説明図である。
【発明を実施するための形態】
【００３３】
以下、本発明の第１実施形態に係る流体制御装置１００について説明する。
【００３４】
図１は、本発明の第１実施形態に係る流体制御装置１００の要部の説明図である。流体制御装置１００は、液体（例えば胸水や血液など）を吸引するドレナージである。流体制御装置１００は、容器９と受動バルブ１０１とチューブ１３０とチューブ１３５とチューブ１３７とを備える。流体制御装置１００は、真空源１０と患者８の患部とに接続されている。
【００３５】
なお、図１において、真空源１０と患者８の患部と容器９と受動バルブ１０１とチューブ１３０とチューブ１３５とチューブ１３７との接続は、簡便に描いている。実施の際、これらの接続は、任意の接続方法を採用すればよい。
【００３６】
真空源１０は、任意のポンプであり、空気を吸引するための吸引孔１４を有する。真空源１０は、予め設定された吸引圧力で空気を吸引孔１４から吸引する。
【００３７】
受動バルブ１０１は、詳細を後述するが、第１通気孔１１１と第２通気孔１１２と第３通気孔１１３とを有する。ここで第３通気孔１１３は、大気開放されている。
【００３８】
容器９は、例えば胸腔ドレーンバックである。容器９は、第１接続孔９１と第２接続孔９２と第３接続孔９３と貯蔵室１９５と水封室１９６とを有する。
【００３９】
なお、水封室１９６が、本発明の「圧力抵抗部」の一例に相当する。
【００４０】
チューブ１３０の第１の端は第１接続孔９１に接続されている。チューブ１３０の第２の端である吸入口８１は、患者８の体内に挿入される。そのため、患者８の体内は、チューブ１３０を介して容器９の第１接続孔９１に連通する。
【００４１】
チューブ１３５の第１の端は第２接続孔９２に接続されている。チューブ１３５の内部には、空気に含まれる塵や埃を吸着するフィルタＦが設けられている。チューブ１３５の第２の端は受動バルブ１０１の第１通気孔１１１に接続されている。そのため、受動バルブ１０１の第１通気孔１１１は、容器９の第２接続孔９２に連通する。
【００４２】
チューブ１３７の第１の端は第３接続孔９３に接続されている。チューブ１３７の第２の端は真空源１０の吸引孔１４に接続されている。チューブ１３７の第３の端は受動バルブ１０１の第２通気孔１１２に接続されている。そのため、容器９の第３接続孔９３は、真空源１０の吸引孔１４に連通する。また、受動バルブ１０１の第２通気孔１１２は、真空源１０の吸引孔１４に連通する。
【００４３】
貯蔵室１９５は、第１接続孔９１と第２接続孔９２と水封室１９６とに連通する。貯蔵室１９５は、第１接続孔９１から流入した流体のうち患者８の液体Ｂ（例えば胸水や血液など）を貯蔵する。
【００４４】
水封室１９６は、貯蔵室１９５と第３接続孔９３とに連通する。水封室１９６には水Ｗが入れられている。水封室１９６は、水Ｗによって、第１接続孔９１から流入した流体のうち気体を通過させて液体Ｂの通過を阻止する。水封室１９６を通過した空気は、第３接続孔９３から真空源１０の吸引孔１４へ流出する。
【００４５】
次に、図２〜図４を用いて受動バルブ１０１の構造について詳述する。
【００４６】
図２は、図１に示す受動バルブ１０１の断面図である。図３、図４は、図１に示す受動バルブ１０１の分解斜視図である。図３は、当該受動バルブ１０１を上面側から見た分解斜視図であり、図４は、当該受動バルブ１０１を底面側から見た分解斜視図である。
【００４７】
受動バルブ１０１は、図２〜図４に示すように、第２弁筐体１９２と、第２シール材１５２と、ダイヤフラム１２０と、第１シール材１５１と、第１弁筐体１９１とを備え、それらが順に積層された構造を有している。第１弁筐体１９１及び第２弁筐体１９２は、弁筐体１９０を構成する。
【００４８】
第１弁筐体１９１は、図２〜図４に示すように、真空源１０の吸引孔１４に連通する第２通気孔１１２と、弁筐体１９０の外部に連通する第３通気孔１１３と、第３通気孔１１３の周囲からダイヤフラム１２０側へ突出した弁座１３９と、ダイヤフラム１２０側へ突出した円柱状の弁座１４５と、上バルブ室１４２及び上バルブ室１３４を連通させる連通路１２６と、を有する。第１弁筐体１９１は、例えば樹脂からなる。弁座１３９は中央部に第３通気孔１１３を有する円筒形状である。
【００４９】
第２弁筐体１９２は、図２〜図４に示すように、容器９の第２接続孔９２に連通する第１通気孔１１１と、下バルブ室１４１及び下バルブ室１３２を連通させる連通路１３６と、を有する。第２弁筐体１９２は、例えば樹脂からなる。
【００５０】
また、ダイヤフラム１２０には、図２〜図４に示すように、弁座１４５に対向する領域の中心部に円形の孔部１２２が設けられている。孔部１２２の直径は、ダイヤフラム１２０に当接する弁座１４５の面の直径よりも小さく設けられている。
【００５１】
ダイヤフラム１２０は、長方形状の薄膜からなる。ダイヤフラム１２０の材料は、例えばＥＰＤＭ（エチレンプロピレンジエンゴム）やシリコーンなどのゴムである。ダイヤフラム１２０は、第１シール材１５１及び第２シール材１５２を介して第１弁筺体１９１及び第２弁筺体１９２に挟持されている。
【００５２】
第１シール材１５１及び第２シール材１５２のそれぞれは、長方形状の薄膜からなる。第１シール材１５１及び第２シール材１５２の材料は、例えば両面テープや接着剤である。第１シール材１５１には、上バルブ室１４２、連通路１２６及び上バルブ室１３４に面する領域に接続孔が設けられている。第２シール材１５２には、下バルブ室１４１、連通路１３６及び下バルブ室１３２に面する領域に接続孔が設けられている。
【００５３】
ダイヤフラム１２０は、図２に示すように、ダイヤフラム１２０の一部が弁座１３９に接触し、ダイヤフラム１２０における孔部１２２の周囲が弁座１４５に接触するよう、第１弁筺体１９１および第２弁筺体１９２に固定されている。このとき、弁座１４５は、ダイヤフラム１２０における孔部１２２の周囲を与圧する。
【００５４】
ダイヤフラム１２０は、第１弁筐体１９１及び第２弁筐体１９２に固定されることにより、第１弁筐体１９１及び第２弁筐体１９２内を分割する。これにより、ダイヤフラム１２０は、第１弁筐体１９１及び第２弁筐体１９２内に、円柱状の下バルブ室１４１と、円柱状の下バルブ室１３２と、円柱状の上バルブ室１４２と、円環状の上バルブ室１３４と、を構成する。
【００５５】
ここで、下バルブ室１４１は、第１通気孔１１１に連通する。下バルブ室１３２は、連通路１３６を介して下バルブ室１４１に連通する。上バルブ室１４２は第２通気孔１１２に連通する。上バルブ室１３４は、連通路１２６を介して上バルブ室１４２に連通する。
【００５６】
なお、下バルブ室１４１、連通路１３６及び下バルブ室１３２が、本発明の「第１領域」の一例に相当する。上バルブ室１４２、連通路１２６及び上バルブ室１３４が、本発明の「第２領域」の一例に相当する。
【００５７】
さらに、ダイヤフラム１２０は、逆止弁１４０を、第１弁筐体１９１及び第２弁筐体１９２とともに構成する。逆止弁１４０は、下バルブ室１４１と上バルブ室１４２と弁座１４５と下バルブ室１４１及び上バルブ室１４２に面するダイヤフラム１２０の領域とで構成される。
【００５８】
また、ダイヤフラム１２０は、排気弁１７０を、第１弁筐体１９１及び第２弁筐体１９２とともに構成する。排気弁１７０は、下バルブ室１３２と上バルブ室１３４と弁座１３９と下バルブ室１３２及び上バルブ室１３４に面するダイヤフラム１２０の領域とで構成される。
【００５９】
逆止弁１４０では、下バルブ室１４１と上バルブ室１４２との圧力差によってダイヤフラム１２０が弁座１４５に対して接触または離間する。これにより、逆止弁１４０は、上バルブ室１４２から下バルブ室１４１への空気の流れを許可し、下バルブ室１４１から上バルブ室１４２への空気の流れを遮断する。
【００６０】
排気弁１７０では、図２に示すように、下バルブ室１３２に面するダイヤフラム１２０の部分の面積をＳ１、下バルブ室１３２の圧力をＰ１、上バルブ室１３４に面するダイヤフラム１２０の部分の面積をＳ２、上バルブ室１３４の圧力をＰ２、第３通気孔１１３に面するダイヤフラム１２０の部分の面積をＳ３、第３通気孔１１３の圧力（本実施形態では大気圧）をＰ３、としたとき、Ｓ１×（Ｐ１−Ｐ２）＞Ｓ３×（Ｐ３−Ｐ１）の関係を満たす場合、ダイヤフラム１２０が弁座１３９に対して接触する。反対に、Ｓ１×（Ｐ１−Ｐ２）≦Ｓ３×（Ｐ３−Ｐ１）の関係を満たす場合、ダイヤフラム１２０は弁座１３９から離間する。
【００６１】
次に、流体制御装置１００の流体の流れについて説明する。
【００６２】
図５は、真空源１０がオンしている間における流体制御装置１００の流体の流れを示す説明図である。図中の矢印は、空気の流れを示している。
【００６３】
なお、前述したように、下バルブ室１４１、連通路１３６及び下バルブ室１３２が、本発明の「第１領域」の一例に相当する。上バルブ室１４２、連通路１２６及び上バルブ室１３４が、本発明の「第２領域」の一例に相当する。水封室１９６が、本発明の「圧力抵抗部」の一例に相当する。
【００６４】
まず、医療従事者が、チューブ１３０の吸入口８１を患者８の体内に挿入する。そして、医療従事者は真空源１０をオンする。なお、真空源１０がオンする前における容器９内の圧力は大気圧となっている。
【００６５】
真空源１０がオンすると、真空源１０は、予め設定された吸引圧力（例えば−５．０ｋＰａ）で空気を吸引孔１４から吸引する。これにより、受動バルブ１０１では、上バルブ室１４２及び上バルブ室１３４の空気が第２通気孔１１２から吸引孔１４を介して真空源１０内に吸引される。容器９では貯蔵室１９５及び水封室１９６の気体が、第３接続孔９３から吸引孔１４を介して真空源１０内に吸引される。
【００６６】
水封室１９６は、貯蔵室１９５の気圧と吸引孔１４の気圧とに差を生じさせる。例えば水面の高さｈが２ｃｍである場合、水封室１９６は、貯蔵室１９５の気圧と吸引孔１４の気圧とに水圧０．２ｋＰａ分の差を生じさせる。これにより、受動バルブ１０１では例えば、図５に示すように、第１領域の気圧と第２領域の気圧とに水圧０．２ｋＰａ分の差が生じる。
【００６７】
すなわち、逆止弁１４０では、下バルブ室１４１の圧力が上バルブ室１４２の圧力より高くなる。このため、ダイヤフラム１２０における孔部１２２の周囲が弁座１４５に接触したままの状態を維持し、下バルブ室１４１と上バルブ室１４２との連通を遮断する。
【００６８】
また、排気弁１７０では、下バルブ室１３２の圧力が上バルブ室１３４の圧力より高くなる。このため、ダイヤフラム１２０が第３通気孔１１３をシールして上バルブ室１３４と第３通気孔１１３との連通を遮断する。
【００６９】
以上より、受動バルブ１０１は、第１領域の圧力が第２領域の圧力以上である場合、第１通気孔１１１と第２通気孔１１２との連通を遮断し、第２通気孔１１２と第３通気孔１１３との連通を遮断する。
【００７０】
よって、真空源１０がオンしている間、流体制御装置１００では、患者８の体内の流体が、吸入口８１から容器９内へ吸入される。容器９において、第１接続孔９１から流入した流体のうち患者８の液体Ｂ（例えば胸水や血液など）は、貯蔵室１９５で貯蔵される。第１接続孔９１から流入した流体のうち気体は、水封室１９６を通過する。そして、水封室１９６を通過した気体は、第３接続孔９３から吸引孔１４を介して真空源１０内に吸引される。
【００７１】
図６は、容器９内に過剰な陰圧が生じた瞬間における流体制御装置１００の流体の流れを示す説明図である。図７は、容器９内に過剰な陰圧が生じた直後における、流体制御装置１００の流体の流れを示す説明図である。図８は、図７に示す受動バルブ１０１の断面図である。図中の矢印は、空気の流れを示している。
【００７２】
真空源１０がオンしている間、患者８が咳やくしゃみをした場合、真空源１０の吸引圧力以上の過剰な陰圧が容器９の貯蔵室１９５内に生じることがある。これにより、容器９では図６に示すように、水封室１９６の水Ｗは貯蔵室１９５側へ上昇する。例えば、貯蔵室１９５の気圧が吸引孔１４の気圧より１．０ｋＰａ低くなることがある。
【００７３】
逆止弁１４０では、図６に示すように、下バルブ室１４１の圧力が上バルブ室１４２の圧力より低くなる。このため、図７、図８に示すように、ダイヤフラム１２０における孔部１２２の周囲が弁座１４５から離間し、下バルブ室１４１と上バルブ室１４２とを連通させる。
【００７４】
また、排気弁１７０では、図６に示すように、下バルブ室１３２の圧力が上バルブ室１３４の圧力より低くなる。このため、図７、図８に示すように、ダイヤフラム１２０が第３通気孔１１３から離間して上バルブ室１３４と第３通気孔１１３とを連通させる。
【００７５】
以上より、受動バルブ１０１は、第１領域の圧力が第２領域の圧力より低い場合、第１通気孔１１１と第２通気孔１１２とを連通させ、第２通気孔１１２と第３通気孔１１３とを連通させる。
【００７６】
これにより、空気が第３通気孔１１３から流入し、上バルブ室１３４、連通路１２６、上バルブ室１４２、孔部１２２、下バルブ室１４１を経由して第１通気孔１１１からフィルタＦを介して容器９内の貯蔵室１９５へ急速に流入する（図７、図８参照）。この際、空気がフィルタＦを通過するため、フィルタＦは、空気中に含まれる塵や埃などを吸着できる。そのため、空気中に含まれる塵や埃などが患者８の体内に流入することを防止できる。
【００７７】
そして、貯蔵室１９５の圧力（空気圧）は、真空源１０の吸引圧力と同じ圧力になるまで上昇する。貯蔵室１９５の圧力が真空源１０の吸引圧力と同じ圧力になると、受動バルブ１０１では、第１領域の圧力が第２領域の圧力と同じになる。
【００７８】
そのため、受動バルブ１０１は、第１通気孔１１１と第２通気孔１１２との連通を遮断し、第２通気孔１１２と第３通気孔１１３との連通を遮断する。この結果、流体の流れは、図５に示す状態に戻る。すなわち、流体制御装置１００は、貯蔵室１９５の圧力を、予め設定された陰圧（例えば−４．８ｋＰａ）に戻すことができる。
【００７９】
以上より、受動バルブ１０１ではダイヤフラム１２０が、容器９内の貯蔵室１９５に過剰な陰圧が生じた場合、自動的に逆止弁１４０及び排気弁１７０を開く。即ち受動バルブ１０１は、容器９内の貯蔵室１９５に過剰な陰圧が生じた場合、受動的に逆止弁１４０及び排気弁１７０を開く。そのため、この構成の流体制御装置１００は、過剰な陰圧を検知するためのセンサと、容器９内に外気を取り入れるための電磁弁と、電磁弁の開閉を制御するための制御装置と、を備えなくても、過剰な陰圧を解除できる。
【００８０】
したがって、この構成の流体制御装置１００は、構造が単純なため、製造コストを低減できる。
【００８１】
また、医療従事者は、既存のドレナージシステムに備えられるセンサ、電磁弁、及び制御装置を受動バルブ１０１に置き替えるだけで、受動バルブ１０１を既存のドレナージシステムに簡単に導入できる。そのため、流体制御装置１００は導入コストを低減できる。
【００８２】
また、受動バルブ１０１が細菌などに侵された場合、医療従事者は受動バルブ１０１をチューブ１３５、１３７から簡単に取り外し、新品に交換することができる。そのため、流体制御装置１００は、病院のメンテナンス費用を低減できる。
【００８３】
また、真空源１０のオンとオフを繰り返す間欠動作が患者８の治療のために行われる場合がある。この場合において真空源１０がオフされた直後、受動バルブ１０１では空気が真空源１０の吸引孔１４から第２領域に流入し、第１領域の圧力が第２領域の圧力より低くなる。これにより、受動バルブ１０１は、図７に示すように受動的に逆止弁１４０及び排気弁１７０を開く。
【００８４】
この結果、真空源１０がオフされている間、流体制御装置１００は容器９内を大気解放できる。また、真空源１０がオンされている間、流体制御装置１００は、貯蔵室１９５の圧力を、予め設定された陰圧（例えば−４．８ｋＰａ）に戻すことができる（図５参照）。
【００８５】
なお、図１に示す流体制御装置１００（ドレナージ）では、真空源１０がオンしている間に、患者８が咳やくしゃみをした場合、真空源１０の吸引圧力以上の過剰な陰圧が容器９の貯蔵室１９５内に生じることがある。そのため、この場合、貯蔵室１９５内の圧力は、真空源１０の吸引圧力まで直ぐに戻すことが必要になる。
【００８６】
しかし、貯蔵室１９５内の圧力は、患者８が通常に呼吸することによっても微小に減少する。患者８が通常に呼吸するたびに、受動バルブ１０１が頻繁に開くことによって貯蔵室１９５内の圧力が真空源１０の吸引圧力まで戻ることは、患者８の負担になる。
【００８７】
そこで、受動バルブ１０１は、図２に示す突起１３９及び突起１４５の寸法を調整する。これにより、受動バルブ１０１は、受動バルブ１０１が開く圧力を調整することができる。例えば、受動バルブ１０１は、患者８が通常に呼吸した場合、開かず、患者８が咳やくしゃみをした場合、開くように調整することができる。これにより、受動バルブ１０１は、患者８が咳やくしゃみをした場合にのみ、貯蔵室１９５内の圧力を真空源１０の吸引圧力まで直ぐに戻すことができる。
【００８８】
以下、本発明の第２実施形態に係る流体制御装置２００について説明する。
【００８９】
図９は、本発明の第２実施形態に係る流体制御装置２００の要部の説明図である。図１０は、図９に示す受動バルブ２０１の断面図である。流体制御装置２００が流体制御装置１００と相違する点は、水封室１９６の代わりに受動バルブ２０１を備える点である。その他の構成に関しては同じであるため、説明を省略する。
【００９０】
なお、受動バルブ２０１が、本発明の「圧力抵抗部」の一例に相当する。
【００９１】
容器２０９が容器９と相違する点は、水封室１９６を備えない点である。容器２０９は、第１接続孔９１、第２接続孔９２、第３接続孔９３、及び貯蔵室２９５を備える。
【００９２】
受動バルブ２０１は、図１０に示すように、第２弁筐体２９２と、第２シール材（不図示）と、ダイヤフラム２２０と、第１シール材（不図示）と、第１弁筐体２９１とを備え、それらが順に積層された構造を有している。第１弁筐体２９１及び第２弁筐体２９２は、弁筐体２９０を構成する。
【００９３】
第１弁筐体２９１は、真空源１０の吸引孔１４に連通する第２通気孔２１２を有する。第１弁筐体２９１は、例えば樹脂からなる。
【００９４】
第２弁筐体２９２は、容器２０９の第３接続孔９３に連通する第１通気孔２１１と、ダイヤフラム２２０側へ突出した円柱状の弁座２３８と、を有する。第２弁筐体２９２は、例えば樹脂からなる。
【００９５】
ダイヤフラム２２０には、弁座２３８に対向する領域の中心部に円形の孔部２２１が設けられている。孔部２２１の直径は、ダイヤフラム２２０に当接する弁座２３８の面の直径よりも小さく設けられている。
【００９６】
ダイヤフラム２２０は、第１シール材及び第２シール材を介して第１弁筺体２９１及び第２弁筺体２９２に挟持されている。ダイヤフラム２２０は、ダイヤフラム２２０における孔部２２１の周囲が弁座２３８に接触するよう、第１弁筺体２９１および第２弁筺体２９２に固定されている。このとき、弁座２３８は、ダイヤフラム２２０における孔部２２１の周囲を与圧する。
【００９７】
ダイヤフラム２２０は、第１弁筐体２９１及び第２弁筐体２９２に固定されることにより、第１弁筐体２９１及び第２弁筐体２９２内を分割する。これにより、ダイヤフラム２２０は、第１弁筐体２９１及び第２弁筐体２９２内に、円環状の下バルブ室２３１と、円柱状の上バルブ室２３３と、を構成する。
【００９８】
ここで、ダイヤフラム２２０は、逆止弁２６０を、第１弁筐体２９１及び第２弁筐体２９２とともに構成する。逆止弁２６０は、下バルブ室２３１と上バルブ室２３３と弁座２３８と下バルブ室２３１及び上バルブ室２３３に面するダイヤフラム２２０の領域とで構成される。
【００９９】
逆止弁２６０では、下バルブ室２３１と上バルブ室２３３との圧力差によってダイヤフラム２２０が弁座２３８に対して接触または離間する。これにより、逆止弁２６０は、下バルブ室２３１から上バルブ室２３３への空気の流れを許可し、上バルブ室２３３から下バルブ室２３１への空気の流れを遮断する。
【０１００】
なお、チューブ２３５の第１の端は第３接続孔９３に接続されている。チューブ２３５の第２の端は第１通気孔２１１に接続されている。チューブ２３７の第１の端は受動バルブ２０１の第２通気孔２１２に接続されている。チューブ２３７の第２の端は真空源１０の吸引孔１４に接続されている。チューブ２３７の第３の端は受動バルブ１０１の第２通気孔１１２に接続されている。
【０１０１】
次に、流体制御装置２００の流体の流れについて説明する。
【０１０２】
図１１は、真空源１０がオンしている間における流体制御装置２００の流体の流れを示す説明図である。図１２は、容器９内に過剰な陰圧が生じた直後における、流体制御装置２００の流体の流れを示す説明図である。図中の矢印は、空気の流れを示している。
【０１０３】
図１１に示すように真空源１０がオンしている間、貯蔵室２９５を通過し、第３接続孔９３から流出した気体は、受動バルブ２０１を介して吸引孔１４から真空源１０内に吸引される。
【０１０４】
ここで、受動バルブ２０１は、貯蔵室２９５の気圧と吸引孔１４の気圧とに差を生じさせる。例えば逆止弁２６０を開くために０．２ｋＰａが必要となる場合、受動バルブ２０１は、貯蔵室２９５の気圧と吸引孔１４の気圧とに０．２ｋＰａ分の差を生じさせる。これにより、受動バルブ１０１では例えば、第１領域の気圧と第２領域の気圧とに０．２ｋＰａの差が生じる。そのため、流体制御装置２００は、水封室１９６を備えない容器２０９においても使用できる。
【０１０５】
そして、容器９内に過剰な陰圧が生じた直後における流体制御装置２００の流体の流れは図１２に示すように、図７に示す流体制御装置１００の流体の流れと同じである。したがって、流体制御装置２００は、流体制御装置１００と同様の効果も奏する。
【０１０６】
以下、本発明の第３実施形態に係る流体制御装置３００について説明する。
【０１０７】
図１３は、本発明の第３実施形態に係る流体制御装置３００の要部の説明図である。図１４は、図１３に示す受動バルブ３０１の断面図である。図１５は、図１３に示す受動バルブ１０１の分解斜視図である。図１６は、図１３に示す受動バルブ１０１の分解斜視図である。
【０１０８】
流体制御装置３００が流体制御装置１００と相違する点は、受動バルブ３０１が逆止弁２６０を備える点である。流体制御装置３００が流体制御装置２００と相違する点は、受動バルブ１０１及び受動バルブ２０１が一体化した受動バルブ３０１を備える点である。その他の構成に関しては同じであるため、説明を省略する。
【０１０９】
なお、受動バルブ３０１に備えられる逆止弁２６０及び水封室１９６が、本発明の「圧力抵抗部」の一例に相当する。
【０１１０】
ダイヤフラム３２０がダイヤフラム１２０と相違する点は、孔部２２１を有する点である。その他の構成に関しては同じであるため、説明を省略する。
【０１１１】
第２弁筐体３９２は、第２弁筐体１９２及び第２弁筐体２９２を一体化した構造を有する。第２弁筐体３９２は、図１４、図１５に示すように、下バルブ室３４１及び下バルブ室２３１を分離する壁部３３０を有する。その他の構成に関しては同じであるため、説明を省略する。
【０１１２】
なお、チューブ３３７の第１の端は、受動バルブ３０１の第３通気孔１１２に接続されている。チューブ３３７の第２の端は、真空源１０の吸引孔１４に接続されている。
【０１１３】
次に、流体制御装置３００の流体の流れについて説明する。
【０１１４】
図１７は、真空源１０がオンしている間における流体制御装置３００の流体の流れを示す説明図である。図１８は、容器９内に過剰な陰圧が生じた直後における、流体制御装置３００の流体の流れを示す説明図である。図中の矢印は、空気の流れを示している。
【０１１５】
図１７に示すように真空源１０がオンしている間、水封室１９６を通過し、第３接続孔９３から流出した気体は、受動バルブ３０１の逆止弁２６０を介して吸引孔１４から真空源１０内に吸引される。
【０１１６】
ここで、受動バルブ３０１の逆止弁２６０と水封室１９６とは、貯蔵室１９５の気圧と吸引孔１４の気圧とに差を生じさせる。例えば逆止弁２６０と水封室１９６とは、貯蔵室２９５の気圧と吸引孔１４の気圧とに０．４ｋＰａ分の差を生じさせる。
【０１１７】
これにより、受動バルブ３０１では例えば、図１７に示すように、第１領域の気圧と第２領域の気圧とに０．４ｋＰａの差が生じる。そのため、流体制御装置２００は、水封室１９６において水面の高さｈがばらついた場合においても、逆止弁２６０において圧力差を生じさせることができる。そのため、流体制御装置２００は、水封室１９６において水面の高さｈがばらついた場合においても、安定した動作を行うことができる。
【０１１８】
そして、容器９内に過剰な陰圧が生じた直後における流体制御装置３００の流体の流れは図１８に示すように、図７に示す流体制御装置１００の流体の流れと同じである。したがって、流体制御装置３００は、流体制御装置１００と同様の効果も奏する。
【０１１９】
また、受動バルブ３０１は受動バルブ１０１及び受動バルブ２０１が一体化した構造を有するため、流体制御装置３００は、流体制御装置２００に比べてチューブの長さを短くできる。
【０１２０】
以下、本発明の第４実施形態に係る流体制御装置４００について説明する。
【０１２１】
図１９は、本発明の第４実施形態に係る流体制御装置４００の要部の断面図である。図２０は、図１９に示す受動バルブ４０１の断面図である。図中の矢印は、空気の流れを示している。
【０１２２】
流体制御装置４００が流体制御装置１００と相違する点は、受動バルブ４０１である。受動バルブ４０１が受動バルブ１０１と相違する点は、第４通気孔４１４を有する点である。第４通気孔４１４の断面積は、チューブ１３７の内部に形成される通気路の断面積より極めて小さい。なお、その他の流体制御装置４００の構成に関しては、流体制御装置１００と同じであるため、説明を省略する。
【０１２３】
次に、流体制御装置４００の流体の流れについて説明する。
【０１２４】
図２１は、真空源１０がオンしている間における流体制御装置４００の流体の流れを示す説明図である。図２２は、容器９内に過剰な陰圧が生じた直後における、流体制御装置４００の流体の流れを示す説明図である。
【０１２５】
図２１に示すように真空源１０がオンしている間、水封室１９６を通過した気体は、第３接続孔９３からチューブ１３７内の通気路を介して真空源１０内に吸引される。
【０１２６】
この際、第４通気孔４１４の断面積はチューブ１３７内の通気路の断面積より極めて小さいため、影響が小さい。受動バルブ４０１では、少量の空気が受動バルブ４０１の外部から第４通気孔４１４を介して受動バルブ４０１の内部へ吸引されるが、真空源１０の吸引圧力は殆ど低下しない。よって、真空源１０がオンしている間における流体制御装置４００の流体の流れは、図５に示す流体制御装置１００の流体の流れとほぼ同じである。
【０１２７】
流体制御装置４００の流体の流れが流体制御装置１００の流体の流れ（図７参照）と相違する時点は、容器９内に過剰な陰圧が生じた直後、又は前述の間欠動作において真空源１０がオフされた直後である。
【０１２８】
容器９内の貯蔵室１９５に過剰な陰圧が生じた直後、受動バルブ４０１では図２２に示すように、少量の空気が受動バルブ４０１の外部から第４通気孔４１４を介して受動バルブ４０１の内部へ吸引される。そのため、受動バルブ４０１では、ダイヤフラム１２０が第３通気孔１１３を開放する速度が速くなる。したがって、流体制御装置４００は、容器９内に過剰な陰圧が生じた直後、過剰な陰圧を速やかに解除できる。
【０１２９】
一方、前述の間欠動作において真空源１０がオフされた直後、受動バルブ４０１では、少量の空気が受動バルブ４０１の外部から第４通気孔４１４を介して受動バルブ４０１の内部へ吸引される。そのため、受動バルブ４０１では、ダイヤフラム１２０が第３通気孔１１３を開放する速度が速くなる。したがって、真空源１０がオフされた直後、流体制御装置４００は容器９内を速やかに大気解放できる。
【０１３０】
なお、その他の流体の流れに関しては、流体制御装置１００と同じであるため、説明を省略する。流体制御装置４００は、流体制御装置１００と同様の効果も奏する。
【０１３１】
《その他の実施形態》
なお、前述の実施形態ではチューブ１３５のみがフィルタＦを有しているが、これに限るものではない。実施の際、チューブ１３５以外のチューブがフィルタを有していても良い。
【０１３２】
最後に、上述の実施形態の説明は、すべての点で例示であり、制限的なものではない。本発明の範囲は、上述の実施形態ではなく、特許請求の範囲によって示される。さらに、本発明の範囲は、特許請求の範囲と均等の範囲とを含む。
【符号の説明】
【０１３３】
Ｂ…液体
Ｆ…フィルタ
Ｗ…水
８…患者
９…容器
１０…真空源
１４…吸引孔
８１…吸入口
９１…第１接続孔
９２…第２接続孔
９３…第３接続孔
１００、２００、３００、４００…流体制御装置
１０１、２０１、３０１、４０１…受動バルブ
１１１…第１通気孔
１１２…第２通気孔
１１３…第３通気孔
１２０…ダイヤフラム
１２２…孔部
１２６…連通路
１３０、１３５、１３７、２３５、２３７、３３７…チューブ
１３２…下バルブ室
１３４…上バルブ室
１３６…連通路
１３９…弁座
１４０…逆止弁
１４１…下バルブ室
１４２…上バルブ室
１４５…弁座
１５１…第１シール材
１５２…第２シール材
１７０…排気弁
１９０…弁筐体
１９１…第１弁筺体
１９２…第２弁筺体
１９５…貯蔵室
１９６…水封室
２０９…容器
２１１…第１通気孔
２１２…第２通気孔
２２０…ダイヤフラム
２２１…孔部
２３１…下バルブ室
２３３…上バルブ室
２３８…弁座
２６０…逆止弁
２９０…弁筐体
２９１…第１弁筺体
２９２…第２弁筺体
２９５…貯蔵室
３２０…ダイヤフラム
３３０…壁部
３４１…下バルブ室
３９２…第２弁筐体
４１４…第４通気孔
【図１】
2016190289.tif 000003
【図２】
2016190289.tif 000004
【図３】
2016190289.tif 000005
【図４】
2016190289.tif 000006
【図５】
2016190289.tif 000007
【図６】
2016190289.tif 000008
【図７】
2016190289.tif 000009
【図８】
2016190289.tif 000010
【図９】
2016190289.tif 000011
【図１０】
2016190289.tif 000012
【図１１】
2016190289.tif 000013
【図１２】
2016190289.tif 000014
【図１３】
2016190289.tif 000015
【図１４】
2016190289.tif 000016
【図１５】
2016190289.tif 000017
【図１６】
2016190289.tif 000018
【図１７】
2016190289.tif 000019
【図１８】
2016190289.tif 000020
【図１９】
2016190289.tif 000021
【図２０】
2016190289.tif 000022
【図２１】
2016190289.tif 000023
【図２２】
2016190289.tif 000024
【手続補正書】
【提出日】平成29年10月13日(2017.10.13)
【手続補正１】
【補正対象書類名】明細書
【補正対象項目名】００３２
【補正方法】変更
【補正の内容】
【００３２】
【図１】本発明の第１実施形態に係る流体制御装置１００の要部の説明図である。
【図２】図１に示す受動バルブ１０１の断面図である。
【図３】図１に示す受動バルブ１０１の分解斜視図である。
【図４】図１に示す受動バルブ１０１の分解斜視図である。
【図５】真空源１０がオンしている間における流体制御装置１００の流体の流れを示す説明図である。
【図６】容器９内に過剰な陰圧が生じた瞬間における流体制御装置１００の流体の流れを示す説明図である。
【図７】容器９内に過剰な陰圧が生じた直後における、流体制御装置１００の流体の流れを示す説明図である。
【図８】図７に示す受動バルブ１０１の断面図である。
【図９】本発明の第２実施形態に係る流体制御装置２００の要部の説明図である。
【図１０】図９に示す受動バルブ２０１の断面図である。
【図１１】真空源１０がオンしている間における流体制御装置２００の流体の流れを示す説明図である。
【図１２】容器２０９内に過剰な陰圧が生じた直後における、流体制御装置２００の流体の流れを示す説明図である。
【図１３】本発明の第３実施形態に係る流体制御装置３００の要部の説明図である。
【図１４】図１３に示す受動バルブ３０１の断面図である。
【図１５】図１３に示す受動バルブ３０１の分解斜視図である。
【図１６】図１３に示す受動バルブ３０１の分解斜視図である。
【図１７】真空源１０がオンしている間における流体制御装置３００の流体の流れを示す説明図である。
【図１８】容器９内に過剰な陰圧が生じた直後における、流体制御装置３００の流体の流れを示す説明図である。
【図１９】本発明の第４実施形態に係る流体制御装置４００の要部の説明図である。
【図２０】図１９に示す受動バルブ４０１の断面図である。
【図２１】真空源１０がオンしている間における流体制御装置４００の流体の流れを示す説明図である。
【図２２】容器９内に過剰な陰圧が生じた直後における、流体制御装置４００の流体の流れを示す説明図である。
【手続補正２】
【補正対象書類名】明細書
【補正対象項目名】００８７
【補正方法】変更
【補正の内容】
【００８７】
そこで、受動バルブ１０１は、図２に示す弁座１３９及び弁座１４５の寸法を調整する。これにより、受動バルブ１０１は、受動バルブ１０１が開く圧力を調整することができる。例えば、受動バルブ１０１は、患者８が通常に呼吸した場合、開かず、患者８が咳やくしゃみをした場合、開くように調整することができる。これにより、受動バルブ１０１は、患者８が咳やくしゃみをした場合にのみ、貯蔵室１９５内の圧力を真空源１０の吸引圧力まで直ぐに戻すことができる。
【手続補正３】
【補正対象書類名】明細書
【補正対象項目名】０１０２
【補正方法】変更
【補正の内容】
【０１０２】
図１１は、真空源１０がオンしている間における流体制御装置２００の流体の流れを示す説明図である。図１２は、容器２０９内に過剰な陰圧が生じた直後における、流体制御装置２００の流体の流れを示す説明図である。図中の矢印は、空気の流れを示している。
【手続補正４】
【補正対象書類名】明細書
【補正対象項目名】０１０５
【補正方法】変更
【補正の内容】
【０１０５】
そして、容器２０９内に過剰な陰圧が生じた直後における流体制御装置２００の流体の流れは図１２に示すように、図７に示す流体制御装置１００の流体の流れと同じである。したがって、流体制御装置２００は、流体制御装置１００と同様の効果も奏する。
【手続補正５】
【補正対象書類名】明細書
【補正対象項目名】０１０７
【補正方法】変更
【補正の内容】
【０１０７】
図１３は、本発明の第３実施形態に係る流体制御装置３００の要部の説明図である。図１４は、図１３に示す受動バルブ３０１の断面図である。図１５は、図１３に示す受動バルブ３０１の分解斜視図である。図１６は、図１３に示す受動バルブ３０１の分解斜視図である。
【手続補正６】
【補正対象書類名】明細書
【補正対象項目名】０１１１
【補正方法】変更
【補正の内容】
【０１１１】
第２弁筐体３９２は、第２弁筐体１９２及び第２弁筐体２９２を一体化した構造を有する。第２弁筐体３９２は、図１４、図１５に示すように、下バルブ室１４１及び下バルブ室２３１を分離する壁部３３０を有する。その他の構成に関しては同じであるため、説明を省略する。
【手続補正７】
【補正対象書類名】明細書
【補正対象項目名】０１１２
【補正方法】変更
【補正の内容】
【０１１２】
なお、チューブ３３７の第１の端は、受動バルブ３０１の第２通気孔１１２に接続されている。チューブ３３７の第２の端は、真空源１０の吸引孔１４に接続されている。
【手続補正８】
【補正対象書類名】明細書
【補正対象項目名】０１１６
【補正方法】変更
【補正の内容】
【０１１６】
ここで、受動バルブ３０１の逆止弁２６０と水封室１９６とは、貯蔵室１９５の気圧と吸引孔１４の気圧とに差を生じさせる。例えば逆止弁２６０と水封室１９６とは、貯蔵室１９５の気圧と吸引孔１４の気圧とに０．４ｋＰａ分の差を生じさせる。
【手続補正９】
【補正対象書類名】明細書
【補正対象項目名】０１１７
【補正方法】変更
【補正の内容】
【０１１７】
これにより、受動バルブ３０１では例えば、図１７に示すように、第１領域の気圧と第２領域の気圧とに０．４ｋＰａの差が生じる。そのため、流体制御装置３００は、水封室１９６において水面の高さｈがばらついた場合においても、逆止弁２６０において圧力差を生じさせることができる。そのため、流体制御装置３００は、水封室１９６において水面の高さｈがばらついた場合においても、安定した動作を行うことができる。
【手続補正１０】
【補正対象書類名】明細書
【補正対象項目名】０１３３
【補正方法】変更
【補正の内容】
【０１３３】
Ｂ…液体
Ｆ…フィルタ
Ｗ…水
８…患者
９…容器
１０…真空源
１４…吸引孔
８１…吸入口
９１…第１接続孔
９２…第２接続孔
９３…第３接続孔
１００、２００、３００、４００…流体制御装置
１０１、２０１、３０１、４０１…受動バルブ
１１１…第１通気孔
１１２…第２通気孔
１１３…第３通気孔
１２０…ダイヤフラム
１２２…孔部
１２６…連通路
１３０、１３５、１３７、２３５、２３７、３３７…チューブ
１３２…下バルブ室
１３４…上バルブ室
１３６…連通路
１３９…弁座
１４０…逆止弁
１４１…下バルブ室
１４２…上バルブ室
１４５…弁座
１５１…第１シール材
１５２…第２シール材
１７０…排気弁
１９０…弁筐体
１９１…第１弁筺体
１９２…第２弁筺体
１９５…貯蔵室
１９６…水封室
２０９…容器
２１１…第１通気孔
２１２…第２通気孔
２２０…ダイヤフラム
２２１…孔部
２３１…下バルブ室
２３３…上バルブ室
２３８…弁座
２６０…逆止弁
２９０…弁筐体
２９１…第１弁筺体
２９２…第２弁筺体
２９５…貯蔵室
３２０…ダイヤフラム
３３０…壁部
３９２…第２弁筐体
４１４…第４通気孔
【国際調査報告】
2016190289.tif 000025
2016190289.tif 000026
2016190289.tif 000027
2016190289.tif 000028